(57)【特許請求の範囲】
【請求項１】
酸化チタン２０〜８０質量％と、サンゴ５〜２０質量％と、トルマリン５〜２０質量％と、銀ゼオライト５〜２０質量％と、金属シリコン５〜２０質量％とを含有する成形体を非酸化性雰囲気中で焼成するとともに該成形体に導電性カーボンを浸透または固着させ、前記焼成した成形体を粉砕して得られることを特徴とする、土壌改良剤。
【請求項２】
前記土壌改良剤は、前記導電性カーボンを５〜３０質量％浸透または固着させたものであることを特徴とする、請求項１に記載の土壌改良剤。
【請求項３】
前記導電性カーボンは、竹炭から得られるグラファイトである、請求項２に記載の土壌改良剤。
【請求項４】
酸化チタン２０〜８０質量％と、サンゴ５〜２０質量％と、トルマリン５〜２０質量％と、銀ゼオライト５〜２０質量％と、金属シリコン５〜２０質量％とを含有する組成物を混練りする工程と、
前記混練りされた組成物を成形して成形体を形成する工程と、
前記形成された成形体を非酸化性雰囲気中で７００℃〜１４００℃の温度で焼結させるとともに該成形体に導電性カーボンを浸透または固着させる工程と、
前記焼結させた成形体を粉砕する工程とを含む、土壌改良剤の製造方法。
【請求項５】
前記成形体に前記導電性カーボンを浸透または固着させる工程において、前記成形体に前記導電性カーボンを５〜３０質量％浸透または固着させる、請求項４に記載の土壌改良剤の製造方法。
【請求項６】
前記導電性カーボンは、竹炭から得られるグラファイトである、請求項５に記載の土壌改良剤の製造方法。
【請求項７】
酸化チタン２０〜８０質量％と、サンゴ５〜２０質量％と、トルマリン５〜２０質量％と、銀ゼオライト５〜２０質量％と、金属シリコン５〜２０質量％とを含有する成形体を非酸化性雰囲気中で焼成するとともに該成形体に導電性カーボンを浸透または固着させ、前記焼成した成形体を粉砕して得られる土壌改良剤を、植物の根の先端領域に散布する、土壌の改良方法。
【請求項８】
前記土壌改良剤は、前記導電性カーボンを５〜３０質量％浸透または固着させたものであることを特徴とする、請求項７に記載の土壌の改良方法。
【請求項９】
前記導電性カーボンは、竹炭から得られるグラファイトである、請求項７または８に記載の土壌の改良方法。
【発明の詳細な説明】
【０００１】
【発明の属する技術分野】
本発明は、土壌改良剤、土壌改良剤の製造方法および土壌の改良方法に関し、より詳細には酸化チタン、サンゴ、トルマリン、銀ゼオライト、金属シリコン、さらには炭素粉を含有する土壌改良剤および土壌改良剤の製造方法、また該土壌改良剤を使用した土壌の改良方法に関する。
【０００２】
【従来の技術】
植物、土壌動物、微生物の成育や活動の場である土壌に対する環境条件の適否を判断する上で土壌のｐＨ、有効リン酸濃度、塩基濃度を管理することが重要である。土壌のｐＨは、植物、土壌動物、微生物の養分となる土壌中の鉄、リン酸、窒素、カリウムといった元素が過剰であるか、または欠乏しているかという目安となっている。例えば、土壌のｐＨが低い場合、土壌中の鉄、亜鉛といった元素が可溶化して雨や散水とともに流され、リン酸、モリブデンといった元素は、金属酸化物などとともに不溶な化合物を生成して土壌中に蓄積されていく。このようなｐＨが低い土壌としては、硫化鉄を含有する土壌が挙げられ、硫化鉄が酸化されて亜硫酸または硫酸を生じることにより土壌が酸性化している。こういった土壌に対して土壌のｐＨを上昇させるために従来では、石灰などの塩基物を散布したり、土壌中の土と混合したりしている。
【０００３】
有効リン酸濃度は、植物が吸収可能なリン酸分を示し、また土壌の肥沃度を知る目安となっている。リン酸濃度は、上述したように土壌のｐＨが低い場合には、金属酸化物とともに不溶な化合物を生成して土壌に蓄積されて濃度が増大していく。しかしながら、これらのリン酸化合物は、植物が吸収不可能なリン酸分である。従って、従来においてｐＨが低い土壌の場合、リン酸系肥料を施肥することによりリン酸分を補給している。
【０００４】
塩基濃度は、土壌の肥沃度と関係する石灰、アンモニアといった塩基、カリウム、カルシウム、マグネシウムといった置換性塩基を土壌が保持する能力の目安となっている。これら塩基を吸着するものとしては、粘土鉱物、土壌腐植といったものが挙げられる。従来において塩基濃度の低い土壌の場合、腐葉土や稲わらなどの有機物の投入が行われている。
【０００５】
また、これらの塩基および有効リン酸を土壌中に保持するものとして、特開平５−３３９５６８号公報の中でゼオライト−サンゴ粉系組成物が土壌改良剤などに使用できることが開示されている。カリウム、アンモニアといった塩基がゼオライトに吸着可能であることは、従来より知られている。特開平５−３３９５６８号公報では、サンゴにリン酸を吸着させる能力を見いだすことにより有効にリン酸を吸着して保持することができ、このゼオライト−サンゴ粉系組成物を土壌改良剤として使用することにより、塩基およびリン酸の肥効率を向上させることができると開示されている。
【０００６】
しかしながら、特開平５−３３９５６８号公報に開示されている組成物を用いる場合、塩基およびリン酸を吸着することにより土壌中にそれらを保持することができても、土壌の抗菌あるいは抗カビといった作用や、土壌中の有機化合物および汚染物質などを分解あるいは除去するといった効果はなかった。また、従来の石灰などを使用して土壌のｐＨを上昇させる方法においては、消石灰が固化して塊を形成してしまったり、土壌に対して均一に石灰を散布するのは困難であり、また石灰を散布しても雨や散水により流されるため、土壌のｐＨが場所によって相違し、植物の成長が異なるといった問題もあった。
【０００７】
【発明が解決しようとする課題】
本発明は、上述した問題を解決するためになされたものであり、植物の育成に必要な塩基やリン酸を場所によらず安定的に供給することが可能であり、また土壌のｐＨが低い場所でのｐＨを上昇させる効果を有し、さらには土壌に抗菌および抗カビといった作用を与え、土壌中の有機化合物や汚染物質などを分解あるいは除去することが可能な土壌改良剤、土壌改良剤の製造方法および土壌の改良方法を提供することを目的とする。
【０００８】
【課題を解決するための手段】
本発明の上記目的は、本発明の土壌改良剤、土壌改良剤の製造方法および該土壌改良剤を用いた土壌の改良方法により達成される。
【０００９】
すなわち、本発明の請求項１の発明によれば、酸化チタン２０〜８０質量％と、サンゴ５〜２０質量％と、トルマリン５〜２０質量％と、銀ゼオライト５〜２０質量％と、金属シリコン５〜２０質量％とを含有する土壌改良剤が提供される。
【００１０】
本発明の請求項２の発明によれば、さらに炭素粉を５〜３０質量％含有することを特徴とする土壌改良剤が提供される。
【００１１】
本発明の請求項３の発明によれば、上記炭素粉は、竹炭から得られるグラファイトである土壌改良剤が提供される。
【００１２】
本発明の請求項４の発明によれば、酸化チタン２０〜８０質量％と、サンゴ５〜２０質量％と、トルマリン５〜２０質量％と、銀ゼオライト５〜２０質量％と、金属シリコン５〜２０質量％とを含む組成物を混練りする工程と、
上記混練りされた組成物を成形して成形体を形成する工程と、
上記形成された成形体を非酸化性雰囲気中で７００℃〜１４００℃の温度で焼結させる工程とを含む土壌改良剤の製造方法が提供される。
【００１３】
本発明の請求項５の発明によれば、上記成形体を焼結させる工程において、上記成形体に炭素粉を５〜３０質量％含有させる土壌改良剤の製造方法が提供される。
【００１４】
本発明の請求項６の発明によれば、上記炭素粉は、竹炭から得られるグラファイトである土壌改良剤の製造方法が提供される。
【００１５】
本発明の請求項７の発明によれば、さらに、上記焼結させた成形体を粉砕する工程を含む土壌改良剤の製造方法が提供される。
【００１６】
本発明の請求項８の発明によれば、酸化チタン２０〜８０質量％と、サンゴ５〜２０質量％と、トルマリン５〜２０質量％と、銀ゼオライト５〜２０質量％と、金属シリコン５〜２０質量％とを含有する土壌改良剤を、植物の根の先端領域に散布する土壌の改良方法が提供される。
【００１７】
本発明の請求項９の発明によれば、上記土壌改良剤は、さらに炭素粉を５〜３０質量％含有する土壌の改良方法が提供される。
【００１８】
本発明の請求項１０の発明によれば、上記炭素粉は、竹炭から得られるグラファイトである土壌の改良方法が提供される。
【００１９】
【発明の実施の形態】
以下、図面を参照しながら本発明を詳細に説明する。本発明の土壌改良剤は、酸化チタン２０〜８０質量％と、サンゴ５〜２０質量％と、トルマリン５〜２０質量％と、銀ゼオライト５〜２０質量％と、金属シリコン５〜２０質量％とを含有する。
【００２０】
本発明において塩基やリン酸といった土壌の肥沃度に関係する元素やイオンを土壌中に吸着する物質として、金属シリコン、サンゴあるいは銀ゼオライトなどの多孔質物質を用いて土壌改良剤を形成することができる。本発明に用いる金属シリコンとしては、製鉄などにおいて鉄の改質などに使用するケイ素約９８％のシリコンを用いることができる。この金属シリコンは、本発明の土壌改良剤の質量に対して５〜２０質量％で添加することができる。また、本発明に用いる金属シリコンは、市販されている金属シリコンの固まりを粉砕して適切な粒度の粒状体、フレーク、粉末として用いることができる。
【００２１】
また、本発明に用いるサンゴとしては、生サンゴ、乾燥サンゴ、焼成サンゴを用いることができる。これらのサンゴには、主成分としてカルシウムのほか、マグネシウム、カリウム、ナトリウム、鉄、硫黄、ケイ素、アルミニウムなどが含まれており、さらに微量成分としてリン、亜鉛、銅、マンガン、コバルト、ニッケルなどが含まれている。また、サンゴは、小孔が並んでいてすみずみまで開孔している多孔質体であるため、極めて大きい表面積と水の透過性とを有している。これらのサンゴは、本発明の土壌改良剤の質量に対して５〜２０質量％で添加することができる。本発明においては、焼成しないサンゴを用いることができるが、混練りする工程において水に分散しやすく、分散速度も速い焼成サンゴを用いるのが好ましい。また、焼成サンゴを用いることにより、特に本発明の土壌改良効果が得られることが見出された。
【００２２】
さらに、本発明に用いる銀ゼオライトとしては、ペレット、ビーズ、粉体といった形状のものを用いることができる。この銀ゼオライトは、本発明の土壌改良剤の質量に対して５〜２０質量％で添加することができる。また、銀ゼオライトに含まれる銀には、抗菌あるいは抗カビといった作用を有することが従来より知られている。このような抗菌といった作用を有する金属として、銀のほか、銅、亜鉛などが知られており、これらの金属をゼオライトに添加して用いることも可能である。本発明の土壌改良剤は、上述したような多孔質物質を含むことにより、通気性を良くすることができ、また排水性、保水性、肥効率を高めることができる。
【００２３】
本発明の土壌改良剤において土壌中の有機化合物の分解特性や汚染物質の除去特性を付与するために、酸化チタン、トルマリン、上述した銀ゼオライトといった物質を用いて土壌改良剤を形成することができる。本発明の土壌改良剤の分解特性や除去特性における上述した物質の役割は明確でなく、あくまで推測の域を出るものではないが、上述した物質が空気中の酸素、雨や散水による水の存在下で電気化学的に電池を形成して酸化還元反応を起こし、分解特性や除去特性に影響を与えるものと推定している。これにより、従来土壌動物や微生物により行われていた土壌中の有機化合物の分解が、本発明の土壌改良剤による上記特性により効率的に分解することが可能となることも、本発明の土壌改良剤の作用に影響を与えるものと推定している。
【００２４】
また、酸化チタン、トルマリン、銀ゼオライトは、光触媒としても作用し、光存在下においては、空気中の酸素や水中の酸素イオンといった酸素と、土壌中の水素とが反応して水素イオン濃度を減少させ、従って土壌のｐＨが上昇するものと推定している。光が存在しない土壌中においても、上述した酸化還元反応や、上記物質の結晶に土や散水などによって生じる応力が作用することで電解反応が起こり、この電解反応により水素イオン濃度が減少して土壌のｐＨが上昇しているとも推定している。
【００２５】
本発明に用いる酸化チタンは、ルチル型の酸化チタンとすることもできるし、特に結晶系を定めることなく、ルチル、アナターゼといった種々の結晶状態を含む酸化チタンを用いることができる。また、これらの酸化チタンを適宜混合して用いることもできる。この酸化チタンは、本発明の土壌改良剤の質量に対して２０〜８０質量％で添加することができ、また上述したトルマリンは、５〜２０質量％で添加することができる。本発明の土壌改良剤においては、上述した物質以外に、本発明の土壌改良剤を成形するための結着剤として無水珪酸ナトリウムを用いることも可能である。
【００２６】
本発明の土壌改良剤においては、上述した分解特性や除去特性を付与するとともに土壌温度を高めるといった点から炭素粉を浸透または固着させることが好ましい。このような炭素粉としては、カーボンブラックといった市販品のものを用いることができる。また、より効果的には、竹炭を製造する際に発生する煤といった未燃炭素を、本発明の土壌改良剤の焼結の際に浸透または固着させることにより、より低価格で、かつ効果的に炭素粉として添加することができる。このような炭素粉は、その組成によらず、本発明の土壌改良剤の質量に対して５〜３０質量％で添加することができる。
【００２７】
本発明の上述した土壌改良剤は、小松菜、トマト、カブといった野菜畑、果樹園のほか、山林、植木、家庭菜園といったものの土壌に散布または混合して用いることができ、従来与えていた肥料の量を少なくすることが可能となる。また、酸性土に混合し、弱酸性土などに改良して野菜畑、果樹園などとして使用することもできる。また、本発明の土壌改良剤をビニールハウスの周囲などに使用すると、多孔性のため排水性を良くし、また銀ゼオライトによる抗カビ効果により、ビニールと土壌との間に発生するカビを防止することもできる。特に、本発明の土壌改良剤を土壌の土に対して４％程度散布または混合することにより、土壌を柔らかくし、さらにはモンパ病、青枯れ病、肉腫といった病気を予防する効果があることを見出すことができた。
【００２８】
また、本発明の土壌改良剤は、クラッシャなどの適切な粉砕手段を用いて粉末にして使用することもできる。この粉砕手段により得られた土壌改良剤についても、上述した分解特性あるいは除去特性などを有しており、上述した土壌改良剤と同様の用途に用いることが可能である。
【００２９】
本発明の土壌改良剤の製造方法を詳細に説明すると、まず、酸化チタン２０〜８０質量％と、焼成サンゴ粉５〜２０質量％と、トルマリン５〜２０質量％と、銀ゼオライト５〜２０質量％と、粒状の金属シリコン５〜２０質量％とを含む組成物を混練りする工程と、混練りされた組成物を成形して成形体を形成する工程とを含む。このためには、これまでに知られたいかなる粉砕、混練り、成形手段でも用いることができる。また、この組成物に無水珪酸ナトリウムを添加して混練りさせても良い。
【００３０】
次いで、このようにして得られた成形体を非酸化性雰囲気中で７００〜１４００℃の温度で焼結させるが、本発明においては、１２００℃で焼結させるのがより好ましい。この焼結には、電気炉といった装置を用いて非酸化性雰囲気で焼成することもできるが、炭焼き窯中で炭焼き時に焼成することにより、カーボンの浸透または固着と、焼結する工程とを同時に行うことができる。また、竹炭を製造するための炭焼き窯は、良質なグラファイトからなる煤を発生させる点においてより好ましい。
【００３１】
本発明において非酸化性雰囲気とは、少なくとも酸素といった酸化性の気体を含まない雰囲気をいい、例えば、アルゴン、窒素、二酸化炭素といった気体を主に含む環境をいう。電気炉を使用する場合においては、炉内にアルゴン、窒素、二酸化炭素を封入することによって非酸化性雰囲気とすることができる。また、炭焼き窯においては、燃焼に必要な量の空気を送入することによって、窯内を窒素および二酸化炭素の非酸化性雰囲気とすることができる。
【００３２】
本発明の土壌改良剤を用いた土壌の改良方法について図１を用いて詳細に説明する。図１は、本発明の土壌改良剤１を土壌２中に散布した図である。図１に示す土壌改良剤１は、木といった植物３の根４の先端領域に散布されている。植物３は、カリウム、アンモニアなどといった塩基、窒素、リン酸、有機物などの養分を根４の先端部分から吸収している。図１に示すように根４の先端部分に本発明の土壌改良剤１を散布することによって、上述したように本発明の土壌改良剤１で吸着された塩基やリン酸あるいは酸化還元反応などにより分解された有機物を植物３へと供給することができる。また、植物３による上記養分の吸収により、土壌２中の養分が減少する場合には、適宜肥料を供給することができる。さらに、本発明の土壌改良剤に含有されているカルシウム、マグネシウムといったミネラル分は、散水などによって土壌中に溶出し、溶出したミネラル分は、他の塩基、リン酸とともに植物３に養分として供給される。
【００３３】
また、本発明の土壌改良剤１を植物３の根４の先端領域に散布する方法としては、植物３の根４が成長する方向に向けて土壌２中に散布する方法を用いることができる。例えば、大根、にんじんといった土壌２に対して鉛直方向に根４が延びるものに対しては、鉛直方向に根４が延びる長さを予測して土壌２中に散布することができる。また、松、杉、リンゴ、ミカン、梅といった木に対しては、苗の場合、上述した方法により本発明の土壌改良剤１を散布した後、苗を植えることができるが、成長した木の場合には、木に対して左右方向の土壌２を掘り起こすことにより根４の先端部近辺に散布することができる。上述した方法では、本発明の土壌改良剤１を散布することについて説明したが、土壌２に混合させても良い。
【００３４】
以下、本発明を実施例をもって詳細に説明するが、本発明は下記実施例に限定するものではない。
【００３５】
（実施例）
（土壌改良剤の製造）
本発明の土壌改良剤を下記のようにして製造した。以下、％は特に断らない限り、土壌改良剤の質量に対する質量％である。
【００３６】
＜組成＞
0003733040.tif 000002
【００３７】
また、以下に示す表１には、本発明の土壌改良剤を製造するために用いる上述した焼成サンゴを、株式会社南西環境研究所において定性分析を行った結果を示す。定性分析の方法については、表１の右欄に示した方法を用い、これらの方法によって分析された成分と、焼成サンゴ中のその成分の含有量を質量％で示した結果を表１の左欄に示す。
【００３８】
【表１】
0003733040.tif 000003
【００３９】
上述の組成物に水を加えて良く混合し、型枠を用いて成形し、充分乾燥させた後、竹（孟宗竹）の炭を製造するための炭焼き窯に配置し、竹炭とするために窯の熱および非酸化性雰囲気を用いて８日間焼成させた。焼成温度は、約１２００℃であった。
【００４０】
この焼成の間、竹の燃焼により生じた導電性カーボンが浸透または固着して、約２０％の質量増加が見られた。燻煙焼処理が終了し、冷却させた後、粉砕して黒色の本発明の土壌改良剤が得られた。
【００４１】
（土壌改良剤の混合による土壌ｐＨ測定）
上述のようにして製造した土壌改良剤を混合して以下の土壌のｐＨ測定実験を行った。
【００４２】
図２は、土壌のｐＨ測定実験に用いた装置を示す。図２に示す装置には、直径２４７ｍｍ、深さ６０ｍｍのプラスチック容器５に、富山県射水郡小杉町青井谷地区の水田の深さ３０〜４０ｃｍの土６を３ｋｇと、上述のようにして製造された土壌改良剤１を５ｇを入れて混合したものを用いた。本土壌のｐＨ測定実験においては、時間による土壌のｐＨ測定を行った。ｐＨを測定する方法としては、ＪＩＳ  Ｋ  ０１０２  １２．１のガラス電極法を用いた。また、水銀温度計を用いて気温、土温を測定した。以下の表２に時間に対する土壌のｐＨ測定結果を示す。
【００４３】
【表２】
0003733040.tif 000004
【００４４】
表２によると、本発明の土壌改良剤により当初ｐＨ３．５であった強酸性土がおよそｐＨ６程度の弱酸性土に改良されることが見出された。また、ｐＨ６程度の弱酸性土に改良された後も、その効果は持続することが見出された。
【００４５】
図３は、上記表２に示す時間に対する気温および土温をグラフ化した図である。図３の縦軸には、気温および土温（℃）を示し、横軸には、実験の経過時間（Ｈｒ）を示す。また、図３中ａは、土温を示し、ｂは、気温を示す。図３に示すように土温は、気温とともに推移しており、上述のｐＨ測定実験において土温は、ほぼ一定であった。
【００４６】
（イオン交換水のｐＨと水中に含まれる金属成分の時間的推移）
図４は、イオン交換水に上記のようにして製造した土壌改良剤を入れ、経過時間によりイオン交換水のｐＨを測定した結果を示した図である。図４に示すｐＨの測定においては、イオン交換水２００ｍｌに上記のようにして製造した土壌改良剤を１０ｇ入れ、上述したＪＩＳ  Ｋ  ０１０２  １２．１のガラス電極法を用いてイオン交換水のｐＨを測定した。図４に示す横軸は、土壌改良剤をイオン交換水へ入れてから経過した時間を示し、縦軸は、その時間におけるイオン交換水のｐＨを示す。図４に示すように土壌改良剤を入れる前のイオン交換水のｐＨは、およそ１０．０９であったが、土壌改良剤を入れ、時間が経過するに従いｐＨが上昇していることが見出された。このことから、土壌のｐＨに限らず、水中においてもｐＨを上昇させる効果があることを見出すことができた。
【００４７】
以下に示す表３は、図４に示すイオン交換水のｐＨ測定において、上記イオン交換水中の各金属成分が時間の経過により、どのくらい含まれているかを示した表である。
【００４８】
【表３】
0003733040.tif 000005
【００４９】
表３によれば、各金属濃度は、上述のように製造した土壌改良剤をイオン交換水中に入れて１時間後の各金属成分濃度と比較し、それ以降の各時間での各金属成分濃度が増加しているという結果を示したため、各金属成分が土壌改良剤から徐放されることが見出された。土壌中において金属成分は、徐放されることにより、有効な土壌改良特性が長期にわたり持続するものと考えられる。
【００５０】
（比較例）
図５は、ケイ酸塩による効果を確認するための比較実験に用いた装置を示す。図５に示す装置には、直径２５ｃｍのプラスチック製の円筒型の容器７を用い、福井県坂井郡三国町火力発電所横の土８を３ｋｇ入れ、また本発明の土壌改良剤１を１００ｇ入れて混合した。さらにケイ酸塩９を混合して土壌のｐＨを測定し、土壌の状態を観察した。比較実験は、上記土壌改良剤１を混合した土８にケイ酸塩を１０ｇ混合したもの、ケイ酸塩を２０ｇ混合したものの２種類を用いて行った。
【００５１】
２種類とも本発明の土壌改良剤が加えられているため、ケイ酸塩の量にかかわらず土壌のｐＨを上昇させることができた。また、土８にケイ酸塩９だけを混合した場合には、土が固化してしまうが、本発明の土壌改良剤を混合しておくことにより、上記比較例で用いたケイ酸塩の量においては、土壌を柔らかく保つことができることを見出すことができた。
【００５２】
【発明の効果】
上述したように、本発明の土壌改良剤を使用することで、植物の育成に必要な塩基、リン酸を安定的に供給することが可能であり、また土壌ｐＨが低い場所の土壌ｐＨを上昇させ、土壌に抗菌および抗カビといった浄化作用を与えることができ、さらには土壌中の有機化合物を効率良く分解させることが可能となる。また、本発明の土壌改良剤を用いた土壌の改良方法を実施することによって、土壌中の養分を効率良く植物に与えることができ、従来与えていた肥料の量を少なくすることが可能となる。
【図面の簡単な説明】
【図１】  本発明の土壌改良剤を用いた土壌の改良方法の実施の形態を示した図。
【図２】  本発明の土壌改良剤を混合した土壌のｐＨ測定実験で用いた装置を示した図。
【図３】  本発明の土壌改良剤を混合した土壌のｐＨ測定実験における土温および気温を示した図。
【図４】  本発明の土壌改良剤をイオン交換水に入れ、時間におけるイオン交換水のｐＨを測定した結果を示した図。
【図５】  本発明の土壌改良剤にケイ酸塩を混合した土壌の比較実験で用いた装置を示した図。
【符号の説明】
１…土壌改良剤
２…土壌
３…植物
４…根
５、７…容器
６、８…土
９…ケイ酸塩
【図１】
0003733040.tif 000006
【図２】
0003733040.tif 000007
【図３】
0003733040.tif 000008
【図４】
0003733040.tif 000009
【図５】
0003733040.tif 000010